(57)【要約】【課題】古紙や屑紙を含有させた合成樹脂で大部分が作られ、強固に拡開ばねを固定支持するクリップドライバを提供する。【解決手段】折り曲げ部と挟持部とを有する弾性板状のクリップのためのクリップドライバ１１であって、重ね合わされた下部ケース１２と上部ケース１３とで構成されたドライバ本体と、クリップの挟持部間に差込んでその間を押し拡げる拡開ばね２１と、上部ケース１３に形成された開口４１に前後方向に摺動自在なノブ１４と、このノブを後端方向に偏倚させるコイルスプリング５４と、重ね合わされた下部ケース１２と上部ケース１３を止める締結ベルト５９とから構成され、ドライバ本体とノブ１４は紙を含有させた合成樹脂で作られ、拡開ばね２１はその挿通孔２２に少なくとも下端が下部ケース１２に形成された挿入孔２３ａに挿入支持された金属ピン２３を通すことにより固定支持している。【選択図】      図１
2005022348.tif 000002
【特許請求の範囲】
【請求項１】
弾性板状を折り曲げて、折り曲げ部とそれらの先端が弾性的に当接するように形成された挟持部とを有するクリップのためのクリップドライバであって、先端に綴じるべき紙葉の端部を挿入する差込み口が、そして後端に前記クリップの挿入口を有し、重ね合わされた上部ケースと下部ケースで構成され、内部に複数のクリップを収納する収納部が形成されたドライバ本体と、前記差込み口の近傍に設けられ、前記クリップの挟持部間に差込んでクリップの弾性に抗して前記挟持部間を押し拡げる拡開ばねと、前記収納部の上方に形成された開口部に前後方向に摺動自在かつ先端部が下降可能に設けられたノブと、このノブを前記挿入口方向に偏倚させるためのコイルスプリングと、重ね合わされたドライバ本体の上下２つの部材を止める締結ベルトとから構成されたクリップドライバにおいて、前記ドライバ本体と前記ノブは紙を含有させた合成樹脂で作られ、前記拡開ばねは、その挿通孔に少なくとも下端が前記下部ケースに形成された挿入孔に挿入支持された金属ピンを通すことにより固定支持されていることを特徴とするクリップドライバ。
【請求項２】
前記金属ピンは、前記下部ケースの挿入孔に挿入される部分の直径が前記拡開ばねの挿通孔に挿入される部分の直径より大きいことを特徴とする請求項１記載のクリップドライバ。
【請求項３】
前記金属ピンの上端は、前記上部ケースに形成された挿入孔に挿入されていることを特徴とする請求項１又は２記載のクリップドライバ。
【発明の詳細な説明】
【０００１】
【発明の属する技術分野】
本発明は、一枚の弾性板状体を折り曲げて当接させた挟持部を構成したクリップを複数個収納し、順次挟持部を開く位置に送り出して挟持部を開き、その間に紙葉等を挟持するクリップドライバに関する。
【０００２】
【従来の技術】
ばらばらな複数枚の紙葉を閉じるため、一枚の弾性板状を折り曲げて、その中央部に折り曲げ部とそれらの先端が弾性的に当接するように形成された挟持部とを有するクリップと、このクリップにより書類を綴じるためのクリップドライバが、特許文献１に開示されているとともに、広く市販されている。このクリップドライバは、先端に綴じるべき紙葉の端部を挿入する差込み口が、そして後端にクリップ挿入口を形成し、重ね合わされた上下２つの部材からなり、内部に複数のクリップを収納する収納部が形成されたドライバ本体と、差込み口近傍に設けられ、クリップの挟持部間に差込んでクリップの弾性に抗して挟持部間を押し拡げる拡開ばねと、収納部の上方に形成されたクリップが脱落しない大きさの開口部に、前後方向に摺動自在かつ先端部が下降可能に設けられたノブと、このノブをクリップ挿入口方向に弾性的に引くためのコイルスプリングと、重ね合わされたドライバ本体の上下２つの部材を止める締結ベルトとから構成されている。このクリップドライバは、ノブを押し下げるようにしながら前進させることによってクリップを拡開ばねの位置に押し出し、挟持部間を押し広げながら差込み口まで前進させ、挟持部間に紙葉を挟み込ませて外部に排出する。先頭のクリップを押し出した後は、ノブを後退させて、次のクリップの背部に当接させて、これを拡開ばねの部分に移動させるようになっている。
【０００３】
【特許文献１】
実用新案登録第２５２９７２８号公報
【０００４】
【発明が解決しようとする課題】
上述したクリップは、紙葉から外した後、再度クリップドライバのクリップ挿入口から装填することにより繰り返しの使用が可能であり、不要となってもかさばるものではないので、金属やプラスチックで作られていても廃棄処理は比較的楽である。一方、ドライバ本体やノブは、ポリカーボネイト、ポリプロピレン、ＡＢＳ樹脂などのプラスチックで作られており、クリップに比べてかなり大きく、破損して使用できなくなった場合などの処理が厄介である。このようプラスチックの処分は、焼却するしかなく、その際には有毒ガスを発生し、大気汚染の原因の一つともなっている。
【０００５】
一方、近来、ポリスチレンに絶乾重量で５１パーセント以上の古紙や屑紙を配合し、容器リサイクル法の素材分類では紙とされる成形用ペレットが、北越製紙株式会社から「Ｅペレット」という商品名で販売されている。この紙入り合成樹脂で作られた成形品の剛性や曲げ強度は従来のプラスチックより高く、軽量化も図れ、この紙入り合成樹脂で作られた成形品を廃棄処分する場合には、有毒ガスが発生しないので、通常の可燃物とともに焼却処分でき、また土に埋めることで分解されるので、地球に優しいプラスチックとなっている。
【０００６】
そこで、本出願人は上述したようなクリップドライバのドライバ本体やノブの成形材料として上記の紙入りペレットが使用できないかについて検討した。その結果、上述した特許文献１のような構造であれば、ドライバ本体およびノブの材料として紙入り合成樹脂を使用することが可能であり、ノブはもとより、ドライバ本体全体の剛性も、十分に使用に耐えることが判った。
【０００７】
しかしながら、金属製の拡開ばねはドライバ本体に一体的に成形により立設された細いピンによって固定されており、ノブによって押し出されてくるクリップの挟持部間の隙間が差し込まれ、クリップの挟持部間を開くようになっているため、薄い板厚の拡開ばねの厚み方向がピンの直径方向にかなり強い力で加わることになる。一方、拡開ばねは帯状のばね材を中央部から折り曲げ、両端部を広げた形になっており、折り曲げ部に形成された穴にピンを差し込むことによって固定されている。したがって、クリップの通過毎に、ピンには拡開ばねによってピンの直径方向に力が加わり、しばらく使用しているとピンが折れ、拡開ばねが脱落してしまうことが判った。これを防止するには、ピンの直径を太くすればようことになるが、拡開ばねの幅はその半分近くがクリップの一部が通るようにしておかなければならず、太いピンが通るような直径の孔をあけることは不可能である。
【０００８】
本発明はこのような従来技術の実情に鑑みてなされたもので、その目的は、古紙や屑紙を含有させ、通常の可燃物として焼却可能で、また地中に埋めることにより分解する合成樹脂で大部分が作られ、強固に拡開ばねを固定支持するクリップドライバを提供することである。
【０００９】
【課題を解決するための手段】
前記目的を達成するため、第１の手段は、弾性板状を折り曲げて、折り曲げ部とそれらの先端が弾性的に当接するように形成された挟持部とを有するクリップのためのクリップドライバであって、先端に綴じるべき紙葉の端部を挿入する差込み口が、そして後端に前記クリップの挿入口を有し、重ね合わされた上部ケースと下部ケースで構成され、内部に複数のクリップを収納する収納部が形成されたドライバ本体と、前記差込み口の近傍に設けられ、前記クリップの挟持部間に差込んでクリップの弾性に抗して前記挟持部間を押し拡げる拡開ばねと、前記収納部の上方に形成された開口部に前後方向に摺動自在かつ先端部が下降可能に設けられたノブと、このノブを前記挿入口方向に偏倚させるためのコイルスプリングと、重ね合わされたドライバ本体の上下２つの部材を止める締結ベルトとから構成されたクリップドライバにおいて、前記ドライバ本体と前記ノブは紙を含有させた合成樹脂で作られ、前記拡開ばねは、その挿通孔に上下端が前記上部及び下部ケースの挿入孔に支持された金属ピンを通すことにより固定支持されていることを特徴としている。
【００１０】
前記目的を達成するため、第２の手段は、第１の手段の前記金属ピンが、前記下部ケースの挿入孔に挿入される部分の直径が前記拡開ばねの挿通孔から前記上部ケースの挿入孔に挿入される部分の直径より大きいことを特徴としている。
【００１１】
前記目的を達成するため、第３の手段は、第１又は第２の手段の前記金属ピンの上端が、前記上部ケースに形成された挿入孔に挿入されていることを特徴としている。
【００１２】
【発明の実施の形態】
以下、図面を参照し、本発明の実施の形態について説明する。クリップドライバ１１は、長方形の下部ケース１２と、この下部ケース１２上を覆うように取り付けられる上部ケース１３と、この上部ケース上に長手方向にスライド可能に取り付けられたノブ１４と、クリップ１の耳部４（図５参照）間を押し拡げる拡開ばね２１と、ノブ１４をクリップドライバ１１の後方に弾性的に引くためのコイルスプリング５４と、下部ケース１２と上部ケース１３を留める締結ベルト５６から構成されている。下部ケース１２、上部ケース１３及びノブ１４は、上述したポリスチレンに絶乾重量で５１パーセント以上の古紙や屑紙を配合した成形用ペレットによって成形された紙入り合成樹脂で作られる。拡開ばね２１、コイルスプリング５４及び締結ベルト５６は金属で作られる。
【００１３】
クリップドライバ１１で使用するクリップ１は、図５に示すように、金属板や合成樹脂で作られた矩形の板状体を折り曲げて、その中央部に折り曲げ部２とそれらの先端が弾性的に接する２つの挟持部３を設けたものである。各挟持部３の先端両側には拡開用の耳部４が突出されている。耳部４を含む各挟持部３の先端は拡開しやすいように外側に曲げられたガイド部５が形成されている。
【００１４】
下部ケース１２は長手方向に直交する方向の縦断面が略皿状に形成され、長手方向先端部の両側には拡開ばね２１が取り付けられている。この拡開ばね２１は、クリップ１がクリップドライバ１１の先端部に位置したとき耳部４間に差し込まれ、この耳部４間を押し拡げる。拡開ばね２１がその断面が略Ｖ字状をしており、その頂点に設けられた挿通孔２２に下部ケース１２の金属ピン２３を挿入することにより支持されている。金属ピン２３は下部ケース１２のリム２６に形成された支持孔２３ａに挿入することにより支持されている。挿通孔２２と金属ピン２３の位置は、拡開ばね２１の側縁と係合してクリップ１の耳部４が通るのを邪魔しない位置に設定される。下部ケース１２には、その長手方向にクリップ１が挿入される溝２４が形成されている。
【００１５】
溝２４の先端側には一段深い凹所２５が形成され、この凹所２５には先頭に位置するクリップ１の折り曲げ部２とそれに続く挟持部３が落ち込むようになっている。溝２４を形成する一対のリム２６の内側には、クリップ１の耳部４を保持する耳ガイド溝２７が拡開ばね２１まで延在している。下部ケース１２の後端部には、この後端部から先端方向に向かって可能に傾斜して耳ガイド溝２７に位置するように一対のガイド突起２８が形成されており、このガイド突起２８の後端部間は連結部２９によってつながれている。一対のリム２６の各上面には、上部ケース１３に嵌合するための嵌合リム３１が形成され、支持孔２３ａの近傍には上部ケース１３の嵌合孔（図示しない）に嵌合される嵌合ピン３２が一体的に形成されている。下部ケース１２の拡開ばね２１の部分の外側には帯状の溝３３が形成されている。また、凹所２５の前方には一段低い係合溝３４が形成されている。
【００１６】
上部ケース１３もその長手方向に直交する方向の縦断面が略皿状に形成され、上面にはその略中央部から先端に向かって伸びる長方形の開口４１と、後端部に形成されたクリップ挿入口４２とが形成されている。開口４１の両側面にはそれぞれ水平に延びるガイドリム４３が形成されている。クリップ挿入口４２には、挿入されたクリップ１が脱落しないように、ばね性を持たせた蓋体４４が形成されている。クリップ挿入口４２の後端部４５は、下部ケース１１の連結部２９の下面に位置するように一段低く形成されている。上部ケース１２の先端側には、下部ケース１２に嵌合されたとき、溝３３と連通する溝４６が形成され、これら溝３３，４６には、締結ベルト５６が掛け渡されている。
【００１７】
ノブ１４は、上部ケース１３の開口４１内に摺動自在に挿入されている。ノブ１４は、開口４１からその先端が上方に突出するノブ突起部５１と、このノブ突起部５１の先端下方に突出して、先頭に位置するクリップ１の折り曲げ部２にその先端が当接する押出し部５２と、ノブ突起部５１の後方に略水平に延在する水平部５２と、ノブ突起部５１の後方に略水平に延在する水平部５３とが一体的に形成されている。水平部５３には、一端が上部ケース１３の後端側に取り付けられたコイルスプリング５４の他端が取り付けられ、このコイルスプリング５４によりノブ１４は常時後方に弾性的に引かれている。ノブ突起部５１の両側の下面はガイドリム４３の上面に位置し、水平部５３の後端両側面に水平に張り出された水平突起５５がリム４３の下面に位置して、ノブ１４が離脱するとこなくスライド可能になっている。ノブ１４はコイルスプリング５４によって常時後退位置に引かれているが、上部ケース１３の内側にはノブ１４の後退位置を規制する後退規制板５５が設けられており、ノブ１４は水平部５３が後退規制板５５に当接したとき、その当接箇所を支点としてコイルスプリング５４により押出し部５２が上昇するように回動し、これにより押出し部５２がクリップの前進を妨げないようになっている。上部ケース１３のリムには金属ピン２３の上端部が挿入される挿入孔２３ｂが形成されている。
【００１８】
クリップ１で紙葉を綴じる場合、クリップ挿入口４２からクリップ１を複数個挿入する。クリップドライバ１１の先端側を下に向けることにより、クリップ１は先端側にスライドし、先頭のクリップ１が凹所２５に入り、拡開ばね２１の頂点にクリップ１のガイド部５間の間隙が挿入可能に位置する。差込み口１５に複数枚の紙葉を差し込んだ後、ノブ突起部５１に指をかけてノブ１４を先端が輪にスライドさせる。ノブ突起部５１を指で押圧することで、それまでコイルスプリング５４により上方に偏倚されていた押出し部５２は下降し、先頭のクリップ１に当接し、ノブ１４のスライドによって先頭のクリップ１は前進し、２つのガイド部５は拡開ばね２１によって押し拡げられ、差し込み口１５にその先端が位置するときは、２つの挟持部３は略平行に開かれ、その間に紙葉を挿入することが可能になる。更にノブ１４を前進させると拡開ばね２１とクリップ１の耳部４との係合は解かれ、クリップ１は挿入口１５から排出させることができる。
【００１９】
以上のように、紙入り合成樹脂で作られるドライバ本体は、下部ケース１２と上部ケース１３で中空の柱状体に構成されており、比較的高い強度を奏することができ、局部的に強い力が加わる場所は、拡開ばね２１を固定支持する部分であるが、拡開ばね２１の挿通孔２２には金属ピン２３が通されており、金属ピン２３は下部ケース１２と上部ケース１３のリム部に穿設された支持孔２３ａ，２３ｂに差し込まれた状態で支持されるので、確実に拡開ばね２１を固定支持することができる。また、ノブ１４には点や線接触的に強い力が加わる箇所が無いので、これも紙入り合成樹脂で構成しても問題はない。したがって、クリップドライバの大部分の体積を占める下部ケース１２、上部ケース１３及びノブ１４は不要になった時には、可燃ごみとして廃棄したり、地中に埋設することで自然分解させることが可能であり、地球環境に優しいクリップドライバが提供されることになる。
【００２０】
なお、上述した実施の形態では、径の細い金属ピン２３で拡開ばね２１を固定支持しており、長期間の使用によって金属ピン２３に加わる間歇的な力により、支持孔２３ａ，２３ｂが金属ピン２３によって広がり、金属ピン２３をガタ付かせることも考えられる。この場合を想定して、図６に示すように下部ケース１２に支持される部分１０１の直径を、拡開ばね２１の挿入口２２に通される部分１０２より太くした金属ピン１００を使用するようにすれば、金属ピン１００と下部ケース１２との接触面積が広くなり、クリップ１が拡開ばね２１を通過するときに生じる局部的な力の分散でき、挿入口１００ａを広げるの防止することができる。
【００２１】
【発明の効果】
以上のように、本発明によれば、クリップドライバの大部分の体積を占めるドライバ本体及びノブは、不要になった時には、可燃ごみとして焼却処理したり、地中に埋設することで自然分解させることが可能であり、地球環境に優しいクリップドライバが提供でき、使用時に局部的に力が加わる拡開ばねの支持部は、拡開ばねの挿通孔に少なくとも下端がケース本体に支持固定された金属ピンを通すことにより固定支持しているので、長期間の使用によっても拡開ばねががた付いたり、脱落することはない。
【図面の簡単な説明】
【図１】本発明の実施の形態に係るクリップドライバをノブを先端側に移動させた状態で示す縦断面図である。
【図２】クリップの外観を示す斜視図である。
【図３】クリップドライバの先端部分のみを拡大して示す縦断面図である。
【図４】下部ケースを示す平面図である。
【図５】この実施の形態で使用するクリップを示す斜視図である。
【図６】拡開ばねを固定するピンの別の例をクリップドライバの先端部分とともに拡大して示す縦断面図である。
【符号の説明】
１  クリップ
２  折り曲げ部
３  挟持部
１１  クリップドライバ
１２  下部ケース
１３  上部ケース
１４  ノブ
１５  差込み口
２１  拡開ばね
４１  開口
５４  コイルスプリング
５６  締結ベルト
２２  挿通孔
２３，１００  金属ピン
２３ａ，２３ｂ，１００ａ  挿入孔
【図１】
2005022348.tif 000003
【図２】
2005022348.tif 000004
【図３】
2005022348.tif 000005
【図４】
2005022348.tif 000006
【図５】
2005022348.tif 000007
【図６】
2005022348.tif 000008